(57)【要約】【課題】端子金具を構成する外殻端子板内に収納させた状態でのバネ端子板の安定性を向上させ、１つの部品のように扱えるとともに部品同士が絡み合うのを防止して組み立て作業性を向上させることができる感知器ベースを提供する。【解決手段】感知器が嵌合可能な感知器収容凹部を形成する底壁の内面側に端子金具を係合可能に収納するための窪み部が設けられたベース部材と、筒状をなす外殻端子板と該外殻端子板の内部に収納された弾性を有するバネ端子板とからなり窪み部に収納された端子金具とを設け、前記窪み部には外殻端子板の前端を係止可能な弾性係止片が形成され、感知器収容凹部を形成する壁体には外殻端子板の後端側のテール部の端部を係止可能な係止部が形成され、端子金具はその長さが弾性係止片から係止部までの距離よりも短く形成され、窪み部に収納された端子金具は、弾性係止片の復元力で係止部との間に挟持されるように構成した。【選択図】図３
2018067026.tif 000002
【特許請求の範囲】
【請求項１】
感知器が嵌合可能な感知器収容凹部を形成する底壁の内面側に、端子金具を係合可能に収納するための窪み部が設けられたベース部材と、
筒状をなす胴体部および該胴体部の一部から伸びるように形成されたテール部を有する外殻端子板と、該外殻端子板の胴体部内に収納された「く」の字状のバネ端子板とからなり前記窪み部に収納された端子金具と、を備え、
前記窪み部には前記外殻端子板の前端を係止可能な弾性係止片が形成され、前記感知器収容凹部を形成する壁体には前記外殻端子板の後端側の前記テール部の端部を係止可能な係止部が形成され、
前記端子金具は、その長さが前記弾性係止片から前記係止部までの距離よりも短く形成され、前記窪み部に収納された際に、前記弾性係止片の復元力で前記係止部との間に挟持されるように構成され、
前記窪み部を形成する壁体には、窪みの内側から前記ベース部材の底壁外側へ通ずる電線端部挿入穴が設けられていることを特徴とする感知器ベース。
【請求項２】
前記バネ端子板には傾斜した突片が形成され、前記外殻端子板には前記バネ端子板の突片と係合可能な細孔が形成されていることを特徴とする請求項１に記載の感知器ベース。
【請求項３】
前記バネ端子板には、中央に挿入方向のスリットが形成され、該スリットの縁部には、当該バネ端子板の内側へ向かって突出する突起が設けられていることを特徴とする請求項１または２に記載の感知器ベース。
【請求項４】
前記外殻端子板は、筒状をなす前記胴体部の前記バネ端子板の挿入側に矩形状の開口部を備え、該開口部の高さが前記胴体部の奥部の高さよりも高くなるように前記胴体部の壁面が傾斜して形成されていることを特徴とする請求項１〜３のいずれかに記載の感知器ベース。
【請求項５】
前記窪み部は、互いに一方の端部が連続する外側傾斜壁と内側傾斜壁を有し、
前記弾性係止片は、前記内側傾斜壁に形成された開口部内に、前記外側傾斜壁と内側傾斜壁との結合部に向かって立設され、
前記内側傾斜壁の前記外側傾斜壁との結合部近傍に、前記外側傾斜壁と平行をなすように前記電線端部挿入穴が設けられ、
前記外側傾斜壁にはスリットが形成されるとともに該スリット内に位置し前記感知器ベースの底壁外面より突出する部位を有する弾性押圧片が設けられ、
前記弾性押圧片は、外部より前記突出する部位が押圧されると内側へ移動して、前記バネ端子板を変形させ、前記外殻端子板とバネ端子板との間に隙間を生じさせるように構成されていることを特徴とする請求項１〜４のいずれかに記載の感知器ベース。
【発明の詳細な説明】
【技術分野】
【０００１】
本発明は、熱や煙等を感知する感知器に関し、特に建造物の天井などに感知器本体を取り付けるための感知器ベースおよび該ベースに組み付けられる差込み式端子を構成する端子金具の構造に関する。
【背景技術】
【０００２】
従来、建築物の天井等に設置される熱や煙、ガス等の感知器は、感知器本体と、該感知器本体を建造物の天井などに取り付けるためのベース部材（以下、感知器ベースと称する）とにより構成されているものが多い。また、この種の感知器として、先ず感知器ベースを天井などに固定し、天井裏などに配設されている電線を接続した後、感知器ベースに対して感知器本体を装着するように構成されているものがある。
さらに、感知器本体と感知器ベースとにより構成された感知器において、感知器ベースに対する電線の接続および感知器ベースに対する感知器本体の装着を容易にするため、接続端子を工夫した感知器ベースに関する発明が提案されている（例えば、特許文献１参照）。
【先行技術文献】
【特許文献】
【０００３】
【特許文献１】特開平１１−３０６４５７号公報
【特許文献２】特開２０１３−２４６４５０号公報
【発明の概要】
【発明が解決しようとする課題】
【０００４】
しかしながら、特許文献１に開示されている感知器ベースにおいては、接続端子を感知器ベースの底にネジによって固定するように構成されているため、接続端子の取付け作業が面倒であるとともに、部品点数も多く小型化が困難である等の課題があった。
そこで、本出願人は、特許文献１に開示されている感知器ベースの課題を解決するため、感知器のベース部材の底壁内面側に、端子金具を係合可能に収容するための窪み部を設けるとともに、該窪み部にベース部材の底壁外面側へ通ずる電線端部挿入穴を設け、前記端子金具は、筒状をなす外殻端子板と該外殻端子板の内部に収納された弾性を有するバネ端子板とから構成した感知器に関する発明を開発し、出願をした（特許文献２参照）。
【０００５】
特許文献２に開示されている感知器は、取付け作業の点では非常に有効であるものの、端子金具を係止する係止片が各収納部にそれぞれ３個設けられているため、感知器ベースの構造が若干複雑である。また、端子金具を構成する筒状の外殻端子板のバネ端子板を挿入する開口部の高さが充分でないため、組み付けが面倒であるとともに、組み立て前のばらばらの状態の部品同士が絡み合ってしまい、組み付けの際に部品をほぐす必要があり、作業効率が悪いという不具合がある。そこで、バネ端子板を外殻端子板内に収納させた状態で扱うことを考えたが、特許文献２に開示されている端子金具は、外殻端子板内に収納させた状態でのバネ端子板の安定性が悪く脱落し易いため、そのような状態での取り扱いが難しいという課題があることが、その後の検討により明らかになった。
【０００６】
本発明は上記のような課題に着目してなされたもので、その目的とするところは、感知器ベースの構造を簡略化できるようにすることにある。
本発明の他の目的は、端子金具を構成する外殻端子板の筒状部分へのバネ端子板の挿入を簡単に行えるとともに、部品同士が絡み合うのを防止して組み立て作業性を向上させることができる感知器ベースを提供することにある。
【課題を解決するための手段】
【０００７】
上記の課題を解決するため、請求項１に記載の感知器ベースは、
感知器が嵌合可能な感知器収容凹部を形成する底壁の内面側に、端子金具を係合可能に収納するための窪み部が設けられたベース部材と、
筒状をなす胴体部および該胴体部の一部から伸びるように形成されたテール部を有する外殻端子板と、該外殻端子板の胴体部内に収納された「く」の字状のバネ端子板とからなり前記窪み部に収納された端子金具と、を備え、
前記窪み部には前記外殻端子板の前端を係止可能な弾性係止片が形成され、前記感知器収容凹部を形成する壁体には前記外殻端子板の後端側の前記テール部の端部を係止可能な係止部が形成され、
前記端子金具は、その長さが前記弾性係止片から前記係止部までの距離よりも短く形成され、前記窪み部に収納された際に、前記弾性係止片の復元力で前記係止部との間に挟持されるように構成され、
前記窪み部を形成する壁体には、窪みの内側から前記ベース部材の底壁外側へ通ずる電線端部挿入穴が設けられていることを特徴とする。
【０００８】
請求項１に記載の発明によれば、端子金具を収納する窪み部が感知器ベースに形成されているため、端子金具を取り付けるための部品をなくすことができ、感知器ベースの小型化が可能となるとともに、組立て工数が減り、製造コストも削減できる。また、端子金具は弾性係止片の復元力で壁体の係止部との間に挟持されるように構成されているため、端子金具の端部を複数の係止片で係止する必要がなく、感知器ベース側の構造を簡略化することができる。
【０００９】
請求項２に記載の発明は、請求項１に記載の感知器ベースにおいて、
前記バネ端子板には傾斜した突片が形成され、前記外殻端子板には前記バネ端子板の突片と係合可能な細孔が形成されていることを特徴とする。
請求項２に記載の発明によれば、バネ端子板の突片を外殻端子板の細孔に係合させることで、バネ端子板が外殻端子板内から抜けるのを防止することができる。また、これにより、バネ端子板を外殻端子板内に収納して１つの部品として扱うことができるようになるため、部品同士の絡まりを防止することができ、組み立て作業の効率が向上する。
【００１０】
請求項３に記載の発明は、請求項１または２に記載の感知器ベースにおいて、
前記バネ端子板には、中央に挿入方向のスリットが形成され、該スリットの縁部には、当該バネ端子板の内側へ向かって突出する突起が設けられていることを特徴とする。
請求項３に記載の発明によれば、スリットの縁部にバネ端子板の内側へ向かって突出する突起が設けられているため、バネ端子板を外殻端子板の筒状胴体部へ挿入したり取り外したりする際に、この突起を工具で押したり挟持したりすることで、組み付けや取り外しの作業を容易に行うことができる。
【００１１】
請求項４に記載の発明は、請求項１〜３のいずれかに記載の感知器ベースにおいて、
前記外殻端子板は、筒状をなす前記胴体部の前記バネ端子板の挿入側に矩形状の開口部を備え、該開口部の高さが前記胴体部の奥部の高さよりも高くなるように前記胴体部の壁面が傾斜して形成されていることを特徴とする。
請求項４に記載の発明によれば、筒状胴体部のバネ端子板挿入側の開口部の高さが胴体部の奥部の高さよりも高くなるように胴体部の壁面が傾斜して形成されているため、外殻端子板の筒状胴体部へのバネ端子板の挿入が簡単に行え、組み付け作業の効率が向上する。
【００１２】
請求項５に記載の発明は、請求項１〜４のいずれかに記載の感知器ベースにおいて、
前記窪み部は、互いに一方の端部が連続する外側傾斜壁と内側傾斜壁を有し、
前記弾性係止片は、前記内側傾斜壁に形成された開口部内に、前記外側傾斜壁と内側傾斜壁との結合部に向かって立設され、
前記内側傾斜壁の前記外側傾斜壁との結合部近傍に、前記外側傾斜壁と平行をなすように前記電線端部挿入穴が設けられ、
前記外側傾斜壁にはスリットが形成されるとともに該スリット内に位置し前記感知器ベースの底壁外面より突出する部位を有する弾性押圧片が設けられ、
前記弾性押圧片は、外部より前記突出する部位が押圧されると内側へ移動して、前記バネ端子板を変形させ、前記外殻端子板とバネ端子板との間に隙間を生じさせるように構成されていることを特徴とする。
【００１３】
請求項５に記載の発明によれば、弾性押圧片の突出部位を押圧するだけで簡単に端子金具に接続されていた電線を引き抜くことができる。また、外殻端子板の前端を係止する係止片を、逆向きすなわち端子金具を収納する窪みを形成する内側傾斜壁と外側傾斜壁との結合部側から立設するように形成することも可能であるが、結合部へ向かって立設するように形成することによって、内側傾斜壁の外側傾斜壁との結合部近傍に電線端部挿入穴を設けることにより係止片の基部の強度が低下するのを防止することができる。
【発明の効果】
【００１４】
本発明によれば、感知器ベースの構造を簡略化することができる。また、端子金具を構成する外殻端子板の筒状部分へのバネ端子板の挿入を簡単に行えるとともに、部品同士が絡み合うのを防止して組み立て作業性を向上させることができる感知器ベースを実現できるという効果がある。
【図面の簡単な説明】
【００１５】
【図１】本発明に係る感知器ベースの一実施形態を示すもので、（Ａ）は平面図、（Ｂ）は底面図である。
【図２】実施形態の感知器ベースの側面図である。
【図３】実施形態の感知器ベースの断面構造を示すもので、（Ａ）は図１（Ｂ）におけるＡ−Ａ線に沿った断面図、（Ｂ）は図１（Ｂ）におけるＢ−Ｂ線に沿った断面図である。
【図４】感知器ベースを構成する端子金具の詳細を示すもので、（Ａ）は組み付け状態の斜視図、（Ｂ）は分離した状態の外殻端子板の斜視図である。
【図５】図４の端子金具の詳細を示すもので、（Ａ）は組み付け前の状態を示す断面図、（Ｂ）は組み付け後の状態を示す断面図である。
【図６】実施形態の感知器ベースと該感知器ベースによって天井等に取り付けられる感知器の一例としての光電式煙感知器を示す分解斜視図である。
【発明を実施するための形態】
【００１６】
以下、図面を参照して、本発明に係る感知器ベースの一実施形態について説明する。
図１〜図３は、実施形態の感知器ベース１１の詳細を示す。また、図４は感知器ベースを構成する端子金具の詳細を示すもので、（Ａ）はバネ端子板を収納した状態を示す斜視図、図４（Ｂ）は端子金具を構成する外殻端子板を示す斜視図である。
図１に示すように、感知器ベース１１は感知器収容凹部１１Ａを有し、感知器収容凹部１１Ａの底部には、時計の文字盤における３時と６時と９時の位置にそれぞれ端子金具１６を収納するための収納部１１ｂが設けられ、図３（Ａ）に示すように各収納部１１ｂ内に端子金具１６が傾斜した状態で挿入されている。
【００１７】
感知器ベース１１は、感知器の下側筐体壁（天井面取付け時に天井面側となる筐体壁）を構成するもので、感知部収納ケース１３が嵌合される円筒状の収容凹部１１Ａと、該収容凹部１１Ａの縁部に沿って鍔状に形成された取付けプレート部１１Ｂとからなる。そして、取付けプレート部１１Ｂには、予め建築物の天井面等に設置された取付け基台（図示省略）に、当該感知器１０をネジ止め固定するためのネジ挿通穴１１ａ（２箇所）が設けられている。また、感知器ベース１１の収容凹部１１Ａの底部には、上記取付け金具を用いて感知器ベース１１を建築物の天井平板に固定する場合に使用するネジを挿通するためのネジ挿通孔１１ｃ（２箇所）が設けられている。
【００１８】
端子金具１６は、図４（Ａ）に示すように、剛性を有する導電性材料からなる外殻端子板１６Ａと、該外殻端子板１６Ａ内に挿入された弾性を有する導電性材料からなる２重「く」の字状をなすバネ端子板１６Ｂとからなる。外殻端子板１６Ａは、図４（Ｂ）に示すように、筒状胴体部１６ａと該筒状胴体部１６ａの底壁から斜め上方へ延びるテール部１６ｂとからなり、図４（Ａ）に示すように、筒状胴体部１６ａ内にバネ端子板１６Ｂが若干弾性変形された状態で挿入され、その復元力で胴体部内に保持される。
【００１９】
外殻端子板１６Ａは、筒状胴体部１６ａの開口部の高さが開口部の幅と同程度の大きさとなるように形成されている。そのため、高さが幅よりも小さいものに比べて、外殻端子板１６Ａの筒状胴体部１６ａへのバネ端子板１６Ｂの挿入が簡単に行え、組み付け作業の効率が向上する。
また、筒状胴体部１６ａの底壁には、図４（Ｂ）に示すように、細孔１６ｃが形成されているとともに、筒状胴体部１６ａの底壁は側壁によりも前方へ突出し、底壁と側壁との境界にはスリット１６ｈが形成されている。さらに、筒状胴体部１６ａの上壁には、中央に、頭部側からテール部側へ向けてスリット１６ｄが形成されている。
【００２０】
一方、バネ端子板１６Ｂの底壁には、図５（Ａ）に示すように、上記筒状胴体部１６ａの底壁の細孔１６ｃに係合可能に傾斜した突片１６ｅが形成されているとともに、中央に、スリット１６ｆ（図４（Ａ））が形成され、スリット１６ｆの下部奥部には上方へ向かって折曲された突起１６ｇが設けられている。細孔１６ｃに係合した状態で、突片１６ｅは、先端がバネ端子板１６Ｂの底壁外面から僅かに突出するように、バネ端子板１６Ｂの挿入方向と逆の方向へ下り傾斜して設けられている。
【００２１】
また、筒状胴体部１６ａの上壁は、図５（Ａ）に示すように、バネ端子板１６Ｂの挿入側の開口の高さが奥部の高さよりも高くなるよう傾斜されている。これにより、筒状胴体部１６ａ内へのバネ端子板１６Ｂの挿入が容易に行なえるようになる。なお、筒状胴体部１６ａの上壁が傾斜されることで、収納されたバネ端子板１６Ｂが抜け易くなるが、図５（Ｂ）に示すように、バネ端子板１６Ｂの下面の突片１６ｅが細孔１６ｃと係合することによって、抜けを防止することができるようになっている。
【００２２】
感知器ベース１１の各収納部１１ｂは、図３（Ｂ）に示すように、それぞれ逆Ｖ字状の窪み部を有し、窪み部を形成する外側傾斜壁１１ｄの中心には、図１（Ｂ）に示すように、スリット１１ｅが形成され、該スリット１１ｅ内にはベースの中央側の端部が自由端にされた弾性押圧片１１ｆが設けられている。そして、この弾性押圧片１１ｆは、図２に示すように、その背面（図では上面）が収納部１１ｂを構成する外側傾斜壁１１ｄの外面より突出するように形成されている。
【００２３】
また、押圧片１１ｆの内側は、上記外殻端子板１６Ａのスリット１６ｄ内に入り込んでバネ端子板１６Ｂのスリット１６ｆの両側の接触片１６ｉ1，１６ｉ2（図４（Ａ））のスリット寄りの縁部に当接可能にされており、弾性押圧片１１ｆの背面を外側から内側方向へ押圧すると弾性変形を起こして窪み部内部へ進入しバネ端子板１６Ｂの接触片１６ｉ1，１６ｉ2を押圧して変形させることができるように構成されている。挿入された電線の先端はこの接触片１６ｉ1，１６ｉ2と外殻端子板１６Ａの上壁内面との間に挟持される。
【００２４】
また、図１（Ｂ）及び図３（Ｂ）に示すように、収納部１１ｂの窪み部を形成する内側傾斜壁１１ｇには、端子金具１６を構成する外殻端子板１６Ａの底壁先端の突出端部１６ｊ（図４(Ｂ)）を係止可能な係止部１１ｉが形成されている。
さらに、図１（Ｂ）及び図３（Ｂ）に示すように、収納部１１ｂを構成する内側傾斜壁１１ｇの底部側には、建造物に配設されたビニール絶縁電線のような電線の端部を外部より挿入するための一対の細穴１１ｈが、外側傾斜壁１１ｄと平行となるように形成されている。また、上記係止部１１ｉ（図１(Ａ)）には、図３（Ａ）に示すように、係合された突出端部１６ｊを抜けにくくするため先端に爪を有する係止片１１ｎが、内側傾斜壁１１ｇに形成された開口部内に、感知器ベース１１の底壁側から内側傾斜壁１１ｇと外側傾斜壁１１ｄとの結合部へ向かって立設されている。
【００２５】
また、図１（Ａ）及び図３（Ａ）に示すように、収容凹部１１Ａの外周壁には、外殻端子板１６Ａのテール部１６ｂの後端が係合される係合凹部１１ｋが形成されている。端子金具１６は、外殻端子板１６Ａの突出端部１６ｊが上記係止部１１ｉに係合されることで係止片１１ｎによって収納部１１ｂ内に保持される。さらに、外殻端子板１６Ａのテール部１６ｂが上記係合凹部１１ｋに係合されることで、前述のように、感知部収納ケース１３を感知器ベース１１に回転操作によって装着する際、つまり結合金具１７（図６参照）と端子金具１６とが噛み合って結合される際に発生する端子金具１６に加わる回転方向の力を抑制し、端子金具１６が収納部１１ｂから外れるのを防止することができ、より強固に保持されるようになっている。なお、図３（Ｂ）において、符号Ｓで示されている隙間が、結合金具１７が挿入され外殻端子板１６Ａのテール部１６ｂと噛み合うための空間である。
【００２６】
上記のように、外殻端子板１６Ａは、前端と後端の２カ所で係止され収納部１１ｂ内に保持される。しかも、外殻端子板１６Ａの長さが、上記係合凹部１１ｋから係止片１１ｎの先端までの距離よりも僅かに長くなるように形成されており、外殻端子板１６Ａを収納部１１ｂ内へ挿入する際に、係止片１１ｎを弾性変形させるようになっている。そのため、外殻端子板１６Ａは、係止片１１ｎの弾性復元力で挟持され容易に収納部１１ｂ内から抜け落ちることがない。つまり、本実施形態においては、端子金具を、その先端と後端の両方で係止する構成であるため、ネジも工具も使用せずに端子金具を感知器ベースの底壁に設けた窪み部内に取り付けることができ、取り付け作業が簡単に行える。
【００２７】
また、ネジが不要であるため部品点数が減少し、感知器ベースもしくは収納ケースの小型化が可能となるとともに、組立て工数が減り、製造コストも削減できる。
さらに、上記実施例の感知器ベースの構造では、１工程の金型による樹脂成形（スライドなし）で上述全ての端子金具収納パーツ（収納部１１ｂ、係止片１１ｎ、弾性押圧片１１ｆ(リリースボタン)等）を制作することができ、製造コストを削減することができる。
【００２８】
なお、上記のように、収納部１１ｂの窪み部を形成する内側傾斜壁１１ｇに電線の端部を外部より挿入するために一対の細穴１１ｈをそれぞれ形成しているのは、建造物に配設されている電線を途中で切断して生じた２つの電線端部をそれぞれ上記一対の細穴１１ｈより挿入して、端子金具１６にて電気的に接続させることで、一方を導入線、他方を導出線として機能させるためである。これにより、切断された電線間の導通を維持したまま信号や電力を当該感知器内部に取り込むことができる。
【００２９】
次に、細穴１１ｈより挿入された電線端部の端子金具１６による結合について説明する。
前述したように、端子金具１６は、筒状の胴体部を有する外殻端子板１６Ａと、該外殻端子板１６Ａ内に挿入された２重「く」の字状のバネ端子板１６Ｂとからなり、外殻端子板１６Ａの胴体部１６ａの上壁内面とバネ端子板１６Ｂのスリット１６ｆの両側の接触片１６ｉ1，１６ｉ2（図４(Ａ)参照）との接合部が、上記一対の電線挿入用の細穴１１ｈに対向する位置に来るように構成されている。
【００３０】
そのため、図３（Ｂ）において矢印で示すように、上記収納部１１ｂに結合部近傍に設けられている細穴１１ｈより電線の端部を挿入すると、電線の先端はバネ端子板１６Ｂの接触片１６ｉ1，１６ｉ2を変形させながら、外殻端子板１６Ａの上壁内面との間に入り込んで行く。その結果、挿入された電線端部は、バネ端子板１６Ｂの弾性復元力によって、外殻端子板１６Ａの上壁内面とバネ端子板１６Ｂの両側の接触片１６ｉ1，１６ｉ2との間にしっかりと挟持され、外側方向へ引っ張ったとしても簡単には抜けないようになる。
【００３１】
一方、前述したように、収納部１１ｂの窪み部を形成する外側傾斜壁１１ｄには弾性押圧片１１ｆが設けられており、端子金具１６が収納部１１ｂに収納された状態では、この弾性押圧片１１ｆの先端が外殻端子板１６Ａのスリット１６ｄ内に進入してバネ端子板１６Ｂの接触片１６ｉ1，１６ｉ2のスリット寄りの縁部に接触するようになっている。また、電線の先端は、各接触片１６ｉ1，１６ｉ2の先端部に接触される。そのため、弾性押圧片１１ｆを外側から内側へ押し込むと、バネ端子板１６Ｂが変形して外殻端子板１６Ａの上壁内面との間の隙間を広げる。その結果、電線を外側方向へ引っ張ると容易に電線端部を引き抜くことができるようになる。
【００３２】
また、バネ端子板１６Ｂが、２重「く」の字状をなすように形成されているため、バネ端子板１６Ｂの筒状胴体部１６ａに収納された際に、単なる「く」の字状のものに比べて、バネ端子板１６Ｂの内壁面との接触箇所が多くなり、姿勢の安定性が向上する。また、筒状胴体部１６ａの底壁の細孔１６ｃに係合可能な突片１６ｅが形成されているため、筒状胴体部１６ａ内へ収納されたバネ端子板１６Ｂが抜けにくくなる。
【００３３】
さらに、バネ端子板１６Ｂには長さ方向すなわち挿入方向に沿ったスリット１６ｆが形成され、スリット１６ｆの奥部にバネ端子板１６Ｂの内側（図では上方）へ向かって折曲された突起１６ｇが設けられているため、バネ端子板１６Ｂを筒状胴体部１６ａへ挿入する際に、この突起１６ｇにマイナスドライバなどの工具の先端を当てて押し込むことで組み付けが容易となる。また、突起１６ｇをラジオペンチ等の工具で挟持することで、組み付けや分解の作業を容易に行うことも可能である。
【００３４】
次に、本実施形態の感知器ベースを用いた感知器の取付けの仕方について、図６を用いて説明する。図６は本発明に係る感知器ベースによって取り付けられる感知器の一例としての光電式煙感知器を示す分解斜視図である。
光電式煙感知器は火災に伴い発生した煙を感知可能であり、建造物の天井平板などに設置されて使用されるように構成されている。なお、図６の説明では、感知器１０を建造物の天井面に設置した状態で下になる側を上側、下になる側を上側とする。
【００３５】
感知器１０は、図６に示すように、建造物の天井平板などに形成された開口部に嵌合される感知器ベース１１と、外形が略ドーム状をなし前記感知器ベース１１の上側全体を覆うように感知器ベース１１に接合されるヘッドカバー１２と、前記感知器ベース１１とヘッドカバー１２とにより形成される内部空間に収納される感知部収納ケース１３および該収納ケース１３に収納される煙感知部４０とを備える。感知器ベース１１とヘッドカバー１２および収納ケース１３は、合成樹脂で形成されている。上記感知器ベース１１とヘッドカバー１２とにより感知器の筐体が構成される。
【００３６】
本実施形態の感知器１０は、取付けプレート部１１Ｂのネジ挿通穴１１ａを利用したネジ止め、またはネジ挿通孔１１ｃと取付け金具を利用したネジ止めの何れかにより建造物の壁面への取付けが選択的に行える。
また、感知部収納ケース１３の底壁下面の上記収納部１１ｂに対応する位置には、端子金具１６と係合することで感知部収納ケース１３を感知器ベース１１に固定するとともに煙感知部４０と端子金具１６の電気的接続を図るため結合金具１７（３箇所）が設けられている。
【００３７】
感知部収納ケース１３は、その結合金具１７の先端を端子金具１６の側部に合わせるようにして感知器ベース１１の収容凹部１１Ａに嵌合させた後、回転させると、結合金具１７と端子金具１６とが噛み合って結合状態が保持されるように構成されている。
そのため、感知部収納ケース１３と感知器ベース１１との結合が簡単に行えるとともに、収納ケース内部の煙感知部４０の回路基板４１に設けられた接続用端子と感知器ベース１１側の端子金具との電気的な接続も簡単に行える。
【００３８】
なお、煙感知部４０は、前記感知部収納ケース１３に収納される回路基板４１と、該回路基板４１に搭載される高さの低い有底円筒状の暗箱基台４２と、該暗箱基台４２の内壁と係合する同じく円筒状の防虫網４４と、該防虫網４４を挟んで前記暗箱基台４２と係合し暗箱を形成する有底円筒状の暗箱ケース４３とを備える。防虫網４４は、小さな網目を有する円筒状に形成されている。
【００３９】
また、回路基板４１は、表面や内部にプリント配線（図示省略）が施され、上面および下面に検出回路を構成する素子（トランジスタ、抵抗、容量）やＩＣ（半導体集積回路）などの電子部品が実装されたプリント配線基板により構成され、回路基板４１の下面に突設された接続ピン（図示省略）が、感知部収納ケース１３内の結合金具１７に半田付けされることで感知部収納ケース１３に固定されるようになっている。
【００４０】
上記のように構成された本実施形態の感知器ベースによれば、予め感知器ベース（１１）を取付けネジにより天井平板等に固定しておいて、後から感知部を収納する収納ケース（１３）とカバー部材（１２）を装着することができる。そのため、取付けネジが外部から見えないようになり、取付け状態の美観が向上する。また、感知器ベースへの収納ケースとカバー部材を装着によって、収納ケース内部の感知部と感知器ベース側の端子金具（１６）との電気的な接続が同時に行われるため、作業性が向上する。
【００４１】
以上、本発明の一実施形態について説明したが、本発明は上記実施形態に限定されず適宜変更可能である。例えば、上記実施形態では、バネ端子板１６Ｂを、２重「く」の字状に形成しているが、単に「く」の字状に形成されたものを使用しても良い。
また、上記実施形態では、本発明を主として熱や煙、ガス等を感知する感知器に適用したものについて説明したが、本発明は、ビーコンや無線ＬＡＮルーター等の通信機器を建造物の内壁に取り付けるためのベースなどにも適用することができる。
また、本発明の一部の実施形態（外殻端子板１６Ａとバネ端子板１６Ｂの構造）は、スピーカー等の電子機器にコードやケーブルを接続するための接続具に利用することができる。
【符号の説明】
【００４２】
１０    感知器
１１    感知器ベース（ベース部材）
１１Ａ  感知器収容凹部
１１ｆ  弾性押圧片
１１ｋ  係合凹部
１１ｈ  細穴（電線端部挿入穴）
１１ｎ  係止片
１３    感知部収納ケース
１６    端子金具
１６Ａ  外殻端子板
１６Ｂ  バネ端子板
１６ａ  胴体部
１６ｂ  テール部
１６ｃ  細孔
１６ｅ  突片
１６ｆ  スリット
１６ｇ  突起
【図１】
2018067026.tif 000003
【図２】
2018067026.tif 000004
【図３】
2018067026.tif 000005
【図４】
2018067026.tif 000006
【図５】
2018067026.tif 000007
【図６】
2018067026.tif 000008